(57)【要約】      （修正有）【課題】屋根材の連結部位の防水性を、屋根材の変形等を伴うことなしに高めることができる屋根材の接続構造を提供する。【解決手段】軒側に配置される屋根材の棟側端部に、棟側に配置される屋根材の軒側端部を隙間を隔てて重ね合わせ、その重ね合わせ領域の相互間に固定具８を配置してこれら屋根材を相互に連結する屋根材の接続構造において、固定具８の軒側直近に、下面が軒側配置の屋根材の棟側端部の外表面に弾性接触し、上面が棟側配置の屋根材の軒側端部の裏面に弾性接触して軒側配置の屋根材と棟側配置の屋根材との間にシール壁を形成する第１のガスケット９を設け、固定具８の棟側直近に、下面が軒側配置の屋根材の棟側端部外表面に弾性接触し、上面が棟側配置の屋根材の軒側端部裏面に弾性接触して軒側配置の屋根材と棟側配置の屋根材との間にシール壁を形成し第１のガスケット９と協働してその内側に閉空間を形成する第２のガスケット１０を配設する。【選択図】図４
2015096695.tif 000002
【特許請求の範囲】
【請求項１】
軒側に配置される屋根材の棟側端部に、棟側に配置される屋根材の軒側端部を隙間を隔てて重ね合わせ、その重ね合わせ領域の相互間に固定具を配置してこれら屋根材を相互に連結する屋根材の接続構造であって、
前記固定具の軒側直近に、下面が前記軒側に配置される屋根材の棟側端部の外表面に弾性接触する一方、上面が棟側に配置される屋根材の軒側端部の裏面に弾性接触して該軒側に配置される屋根材と該棟側に配置される屋根材との相互間にシール壁を形成する第１のガスケットを設け、
前記固定具の棟側直近に、下面が前記軒側に配置される屋根材の棟側端部の外表面に弾性接触する一方、上面が棟側に配置される屋根材の軒側端部の裏面に弾性接触して該軒側に配置される屋根材と該棟側に配置された屋根材との相互間にシール壁を形成するとともに該第１のガスケットと協働してその内側に閉空間を形成する第２のガスケットを配設してなり、
前記固定具は、棟側に配置される屋根材の裏面に連係する係止片を有することを特徴とする屋根材の接続構造。
【請求項２】
前記第１のガスケットおよび前記第２のガスケットは、それぞれ軒方向に沿って伸延する長さを有するものであり、そのうち、第１のガスケットは、前記閉空間と外界とを連通させて該閉空間を等圧空間とするとともに排水経路を形成する少なくとも一つの切欠き部を有することを特徴とする請求項１に記載した屋根材の接続構造。
【請求項３】
前記第１のガスケットおよび前記第２のガスケットは、上面の接触幅が下面の接触幅よりも小さい異形断面からなり、その端部には、隣接配置される他のガスケットに連結して軒方向の全長にわたって連続したシール壁を形成する接続継手を有することを特徴とする請求項１または２に記載した屋根材の接続構造。
【請求項４】
前記固定具は、一対の側壁と、該側壁の上端部に一体連結する天壁と、該側壁の下端に連結して該側壁を屋根材の上で起立状態に保持する一対のベース板と、該側壁を貫くとともにねじ部を介して該側壁に保持される締め込みボルトとを備え、
該ベース板は、その先端部に、棟側に配置される屋根材の裏面に連係する係止片を有することを特徴とする請求項１〜３のいずれか１に記載した屋根材の接続構造。
【請求項５】
前記固定具は、上部材と、この上部材に重ね合わさる下部材とを備え、
該上部材は、一対の側壁と、該側壁の上端部にそれぞれ一体連結する天壁と、棟側に配置される屋根材の裏面に連係する係止片を有し、該側壁の下端にそれぞれ連結して該側壁を起立状態に保持する一対のベース板とからなり、
該下部材は、上部材の側壁の内側面に当接可能な一対の側壁と、該側壁の上端部にそれぞれ一体連結して該上部材の天壁に当接可能な天壁と、該側壁の下端にそれぞれ一体連結して屋根材の天板部の上面および上部材のベース板の下面に当接可能な一対の底板部と、該底板部の縁部に一体連結する脚部とからなり、
該脚部のそれぞれに、対向位置で内向きに突出するとともに屋根材の表面に連係可能な凸部を設け、
該上部材の側壁の少なくとも一つおよび該下部材の側壁の少なくとも１つについては、それら側壁をともに貫くとともにねじ部を介して該側壁に保持される締め込みボルトを有することを特徴とする請求項１〜３のいずれか１に記載した屋根材の接続構造。
【請求項６】
前記屋根材は、軒−棟方向に沿って伸延する一対の長辺縁部および軒に沿って伸延する一対の短辺縁部にて区画された底板部分と、この底板部分の各長辺縁部にその全長にわたってつながり外開き状態でそれぞれ立ち上がるとともにその上部にて横向きに張り出した先端先細り状の凸部を有する傾斜側板部と、この傾斜側板部の各上端部につながる天板部と、この天板部の末端にてそれぞれ立ち上がり、軒に沿って隣接配置される他の屋根材のハゼ部と嵌合して相互接続を可能とするハゼ部とを備え、該底板部と該傾斜側板部との境界および該傾斜側板部と該天板部との境界を屈曲部として山、谷を交互に形成する折板屋根材であることを特徴とする請求項１〜５のいずれか１に記載した屋根材の接続構造。
【発明の詳細な説明】
【技術分野】
【０００１】
本発明は、工場、倉庫、大型店舗等の大面積の屋根において幅広く使用される、屋根材、とくに折板屋根材の接続構造に関するものである。
【背景技術】
【０００２】
折板屋根材は、本来、鋼板コイルを素材として、これを施工現場に設置されたロール成形機で所望の形状、長さに成形される製品であって、施工性、耐風圧強度、止水性を経済的に確保できる屋根材として広く普及している。
【０００３】
ところで、近年、既設の折板構造の屋根に対する改修需要が高まっており、施工現場での折板屋根材の迅速な成形および施工が求められているが、とくに、折板屋根材は長尺なものが多く、その成形、施工を行うのが困難になることが多い（場所の確保等）。
【０００４】
その打開策として、最近では、工場で予め輸送可能な長さのもとで所定の形状、所定の長さに成形し（定型、定尺化）、これを施工現場でつなぎ合わせることによって屋根の構築を可能とする屋根材、施工法が開発されてきている。
【０００５】
しかし、折板構造の屋根は、大面積で緩勾配のものが多く、とくに止水性を確保するのが困難な状況にあった。
【０００６】
このため、従来は、不定形シール、いわゆるコーキング材を適用して止水性の確保が図られているが、日射、寒気による屋根材の伸縮により、該コーキング材の劣化、切断された場合には、雨漏りが生じてしまうことも懸念されている。
【０００７】
上記のような不具合を解消する先行技術として、特許文献１には、軒側の屋根材と棟側の屋根材との重ね接続部の軒側部に第１パッキンを設け、重ね接続部の軒棟方向の中間部に第２パッキンを設け、さらに重ね接続部の棟側部に第３パッキンを各々重ね接続部の軒長さ方向の全長にわたって設け、第１パッキンの谷部分に通気を兼ねた排水用開口を形成し、第２パッキンの山部分に通気口を形成するとともに谷部分に通気を兼ねた排水口を形成した構造のものが提案されている。
【０００８】
また、特許文献２には、屋根板の重ね接続部分における棟軒方向の中間部に、棟側端部と軒側端部との間に硬質スペーサを介装して重ね接続部分の棟側端部の全長にわたる水切り空間を形成し、水切り空間の軒側端部に面戸を設け、水切り空間に棟軒方向とは略直交する方向の全長にわたって水密シール帯を設けた構造のものが提案されている。
【０００９】
この他、屋根勾配の上下方向に複数枚の折板屋根材を並べて設け、下側の折板屋根材の上端部に、上側の折板屋根材の下端部を、通気用隙間を介して重ね、この上下の折板屋根材の重なり部を屋根部構造材上の支持部材に留め付け、下側の折板屋根材の上端縁で通気用隙間を蓋する定形気密材を、該定形気密材に形成された溝部で上端縁に嵌合状態に設け、上側の折板屋根材の下端縁に通気用隙間を蓋する定形止水材を設け、この定形止水材の長手方向複数個所に空気導入兼排水用の開口を設けた、特許文献３のようなものや、底部の両側に外側上向きの傾斜部を形成し、この傾斜部の上端より外方に頂部を形成し、この一側の頂部の外端より上側に下馳部を形成し、その他側の頂部の外端より上側に上馳部を形成した下部屋根材の水上側に溝部及び上向段部を形成したものと、その下部屋根板と同一断面形状の上部屋根材の水下側に第１段部、第２段部を形成したものとを備え、その下部屋根板の水上側上に上部屋根板の水下側を重合し、かつ上部屋根板の第１段部、第２段部と下部屋根板の水上側表面及び上向段部とで第１空隙、第２空隙部をそれぞれ形成し、その上馳部相互の継手箇所にキャップを被覆した特許文献４のようなもの、あるいは、底部の両側より外側上方に向う傾斜部を形成し、上端より外方に上面部を設け、一方の上面部の外端に屈曲部を形成し、他方の上面部の外端に屈曲部に馳締結合する結合屈曲部を形成した長手方向に適宜の長さの馳締建築用板の水上側寄りの底部、両傾斜部、両上面部に溝部を形成し、該溝部にシール材を充填し、水下側位置の馳締建築用板を構造材に設けた受金具上に載置し、その水下側位置の馳締建築用板の水上側の端に、この同列の水上側位置になる馳締建築用板の水下側の端を上から重合固着し、この列の横に水下側位置になる馳締建築用板の結合屈曲部を、前列の水下側位置の馳締建築用板の屈曲部に受金具上に取付けた吊子と共に屈曲結合し、その水下側位置の馳締建築用板の水上側の端に、この同列の水上側位置になる馳締建築用板の水下側の端を上から重合固着しつつその結合屈曲部を、前列の同馳締建築用板の屈曲部に吊子と共に屈曲結合して構成した特許文献５のようなものも知られている。
【先行技術文献】
【特許文献】
【００１０】
【特許文献１】特開２００１−２４１１４８号公報
【特許文献２】特開平１０−２４５９４１号公報
【特許文献３】特開平９−８８２５１号公報
【特許文献４】特開昭６１−２６６７６４号公報
【特許文献５】特開昭５８−１７３２４６号公報
【発明の概要】
【発明が解決しようとする課題】
【００１１】
しかしながら、上記特許文献１〜５に開示されているものは、いずれも、屋根材の重ね合わせ部分で、それらを貫くボルトの如き締結手段を介して相互に接続するものであり、雨水等の侵入を確実に防止できるとはいえない。
【００１２】
また、屋根材の重ね合わせ部分には、棟側に配置される屋根材の裏面に上面が接触する一方、軒側に配置される屋根材の表面に下面が接触するシール部材（パッキン等）を配置するのを基本としているが、いずれのものも該シール部材の挟持力が十分とはいえないものであった（屋根材とシール材との間に隙間が形成されやすい）。
【００１３】
なお、この種の接続構造においては、締結手段による締結力を高めることによってシール部材の挟持力を増すことはできるものの、この場合、屋根材に変形を来すおそれもある。
【００１４】
本発明の目的は、屋根材の連結部位の止水性を、屋根材の変形等の不具合を伴うことなしに高めることができる屋根材の接続構造を提案するところにある。
【課題を解決するための手段】
【００１５】
本発明は、軒側に配置される屋根材の棟側端部に、棟側に配置される屋根材の軒側端部を隙間を隔てて重ね合わせ、その重ね合わせ領域の相互間に固定具を配置してこれら屋根材を相互に連結する屋根材の接続構造において、前記固定具の軒側直近に、下面が前記軒側に配置される屋根材の棟側端部の外表面に弾性接触する一方、上面が棟側に配置される屋根材の軒側端部の裏面に弾性接触して該軒側に配置される屋根材と該棟側に配置される屋根材との相互間にシール壁を形成する第１のガスケットを設け、前記固定具の棟側直近に、下面が前記軒側に配置される屋根材の棟側端部の外表面に弾性接触する一方、上面が棟側に配置される屋根材の軒側端部の裏面に弾性接触して該軒側に配置される屋根材と該棟側に配置される屋根材との相互間にシール壁を形成するとともに該第１のガスケットと協働してその内側に閉空間を形成する第２のガスケットを配設してなり、前記固定具は、棟側に配置される屋根材の裏面に連係する係止片を有することを特徴とする屋根材の接続構造である。
【００１６】
上記の構成からなる屋根材の接続構造においては、
１）前記第１のガスケットおよび前記第２のガスケットは、それぞれ軒方向に沿って伸延する長さを有するものとし、そのうち、第１のガスケットは、前記閉空間と外界とを連通させて該閉空間を等圧空間とするとともに排水経路を形成する少なくとも一つの切欠き部を有すること、
２）前記第１のガスケットおよび前記第２のガスケットは、上面の接触幅が下面の接触幅よりも小さい異形断面からなり、その端部には、隣接配置される他のガスケットに連結して軒方向の全長にわたって連続したシール壁を形成する接続継手を有すること、
３）前記固定具は、一対の側壁と、該側壁の上端部にそれぞれ一体連結する天壁と、該側壁の下端にそれぞれ連結して該側壁を屋根材の上で起立状態に保持する一対のベース板と、該側壁を貫くとともにねじ部を介して該側壁に保持される締め込みボルトとを備え、該ベース板は、その先端部に、棟側に配置される屋根材の裏面に連係する係止片を有すること、
４）前記固定具は、上部材と、この上部材に重ね合わさる下部材とを備え、該上部材は、一対の側壁と、該側壁の上端部にそれぞれ一体連結する天壁と、棟側に配置される屋根材の裏面に連係する係止片を有し、該側壁の下端にそれぞれ一体連結して該側壁を起立状態に保持する一対のベース板とからなり、該下部材は、上部材の側壁の内側面に当接可能な一対の側壁と、該側壁の上端部にそれぞれ一体連結して該上部材の天壁に当接可能な天壁と、該側壁の下端にそれぞれ一体連結して屋根材の天板部の上面および上部材のベース板の下面に当接可能な一対の底板部と、該底板部の縁部に一体連結する脚部とからなり、該脚部のそれぞれに、対向位置で内向きに突出するとともに屋根材の表面に連係可能な凸部を設け、該上部材の側壁の少なくとも一つおよび該下部材の側壁の少なくとも１つについては、それら側壁をともに貫くとともにねじ部を介して該側壁に保持される締め込みボルトを有すること、
５）前記屋根材は、軒−棟方向に沿って伸延する一対の長辺縁部および軒に沿って伸延する一対の短辺縁部にて区画された底板部と、この底板部の各長辺縁部にその全長にわたってつながり外開き状態でそれぞれ立ち上がるとともにその上部にて横向きに張り出した先端先細り状の凸部を有する傾斜側板部と、この傾斜側板部の各上端部につながる天板部と、この天板部の末端にてそれぞれ立ち上がり、軒に沿って隣接配置される他の屋根材のハゼ部と嵌合して相互接続を可能とするハゼ部とを備え、該底板部と該傾斜側板部との境界および該傾斜側板部と該天板部との境界を屈曲部として山、谷を交互に形成する折板屋根材であること、が本発明の課題解決のための具体的手段として好ましい。
【発明の効果】
【００１７】
上記の構成からなる本発明の屋根材の接続構造によれば、軒側に配置される屋根材の棟側端部に、棟側に配置される屋根材の軒側端部を隙間を隔てて重ね合わせ、その重ね合わせ領域の相互間に固定具を配置してこれら屋根材を相互に連結する際に、固定具の軒側直近に、下面が前記軒側に配置される屋根材の棟側端部の外表面に弾性接触する一方、上面が棟側に配置される屋根材の軒側端部の裏面に弾性接触して該軒側に配置される屋根材と該棟側に配置される屋根材との相互間にシール壁を形成する第１のガスケットを設け、固定具の棟側直近に、下面が前記軒側に配置される屋根材の棟側端部の外表面に弾性接触する一方、上面が棟側に配置される屋根材の軒側端部の裏面に弾性接触して該軒側に配置される屋根材と該棟側に配置される屋根材との相互間にシール壁を形成するとともに該第１のガスケットと協働してその内側に閉空間を形成する第２のガスケットを設け、固定具に、棟側に配置される屋根材の裏面に連係する係止片を設けるようにしたため、屋根材を貫くような締結手段を使用せずとも屋根材同士を相互に連結することが可能となる。また、第１のガスケット、第２のガスケットは、固定具の軒側直近、棟側直近にそれぞれ配置されるため、第１のガスケット、第２のガスケットには、十分な挟持力が均等に付与されることになり、止水性が高まる。
【００１８】
上記の構成からなる本発明の屋根材の接続構造によれば、第１のガスケットおよび第２のガスケットは、それぞれ軒方向に沿って伸延する長さを有するものであり、そのうち、第１のガスケットには、閉空間と外界とを連通させて該閉空間を等圧空間とするとともに排水経路を形成する少なくとも一つの切欠き部を設けるようにしたため、風圧に対して安定した固定が可能となる。
【００１９】
また、上記の構成からなる本発明の屋根材の接続構造によれば、第１のガスケットおよび前記第２のガスケットを、上面の接触幅が下面の接触幅よりも小さい異形断面として、その端部に、隣接配置される他のガスケットに連結して軒方向の全長にわたって連続したシール壁を形成する接続継手を設けるようにしたため、第１ガスケット、第２のガスケットにその全長にわたって十分な反発力を付与することができ、屋根材の連結部における止水性を高めることができる。また、本発明の屋根材の接続構造によれば、固定具を、一対の側壁と、該側壁の上端部に一体連結する天壁と、該側壁の下端に連結して該側壁を屋根材の上で起立状態に保持する一対のベース板と、該側壁を貫くとともにねじ部を介して該側壁に保持される締め込みボルトとを備えたもので構成し、該ベース板の先端部に、棟側に配置される屋根材の裏面に連係する係止片を形成したため、屋根材を貫くような連結手段を使用することなしに屋根材同士の連結が可能になる。また、本発明の接続構造によれば、固定具を、上部材と、この上部材に重ね合わさる下部材とを備えたもので構成し、上部材については、一対の側壁と、該側壁の上端部にそれぞれ一体連結する天壁と、棟側に配置される屋根材の裏面に連係する係止片を有し、該側壁の下端にそれぞれ一体連結して該側壁を起立状態に保持する一対のベース板とからなるものとし、下部材については、上部材の側壁の内側面に当接可能な一対の側壁と、該側壁の上端部にそれぞれ一体連結して該上部材の天壁に当接可能な天壁と、該側壁の下端に一体連結して屋根材の天板部の上面および上部材のベース板の下面に当接可能な一対の底板部と、該底板部の縁部に一体連結する脚部とからなるものとし、該脚部のそれぞれに、対向位置で内向きに突出するとともに屋根材の表面に連係可能な凸部を設け、該上部材の側壁の少なくとも一つおよび該下部材の側壁の少なくとも１つについては、それら側壁をともに貫くとともにねじ部を介して該側壁に保持される締め込みボルトを設けるようにしたため、屋根材同士の連結が確実になるとともに、固定具の、屋根材に対する固定強度を高めることができる。
【００２０】
さらに、本発明の屋根材の接続構造によれば、屋根材を、軒−棟方向に沿って伸延する一対の長辺縁部および軒に沿って伸延する一対の短辺縁部にて区画された底板部と、この底板部の各長辺縁部にその全長にわたってつながり外開き状態でそれぞれ立ち上がるとともにその上部にて横向きに張り出した先端先細り状の凸部を有する傾斜側板部と、この傾斜側板部の各上端部につながる天板部と、この天板部の末端にてそれぞれ立ち上がり、軒に沿って隣接配置される他の屋根材のハゼ部と嵌合して相互接続を可能とするハゼ部とを備え、該底板部と該傾斜側板部との境界および該傾斜側板部と該天板部との境界を屈曲部として山、谷を交互に形成する折板屋根材としたため、比較的低コストのもとに効率的に大面積の屋根を構築することができる。
【図面の簡単な説明】
【００２１】
【図１】本発明に適用して好適な屋根材の正面を示した図である。
【図２】図１に示した屋根材の外観斜視図である。
【図３】本発明に従う屋根材の接続構造を正面について示した図である。
【図４】図３に示した接続構造を分解状態で示した外観斜視図である。
【図５】図１に示した屋根材の軒方向の接続状態を示した図である。
【図６】（ａ）〜（ｃ）は、固定具の構成を模式的に示した図であり、（ａ）は正面図であり、（ｂ）は左側面図であり、（ｃ）は右側面図である。
【図７】図６の固定具の使用状態を示した図である。
【図８】（ａ）は第１のガスケットの平面図であり、（ｂ）は正面図である。
【図９】図８に示した第１のガスケットの外観斜視図である。
【図１０】（ａ）は第２のガスケットの平面図であり、（ｂ）は正面図である。
【図１１】図１０に示した第２のガスケットの外観斜視図である。
【図１２】図７のＡ−Ａ断面を示した図である。
【図１３】（ａ）〜（ｆ）は、第１のガスケット、第２のガスケットの断面を示した図である。
【図１４】（ａ）（ｂ）は接続継手の変形例を示した図である。
【図１５】（ａ）（ｂ）は接続継手の変形例を示した図である。
【図１６】（ａ）〜（ｃ）は、本発明に従う屋根材の接続構造の他の実施の形態を固定具について示した図であり、（ａ）は、正面図、（ｂ）は、平面図、（ｃ）は側面図である。
【図１７】図１６（ａ）〜（ｃ）に示した固定具を分解状態で示した外観斜視図である。
【図１８】図１６（ａ）〜（ｃ）に示した固定具の使用状態をその正面について示した図である。
【図１９】本発明に従う屋根材の接続構造の他の実施の形態を固定具について示した図である。
【図２０】本発明に従う屋根材の接続構造の他の実施の形態を固定具について示した図である。
【発明を実施するための形態】
【００２２】
以下、図面を参照して、本発明をより具体的に説明する。本発明は、同じ形状を有する屋根材を複数枚用い、ハゼ部を介して屋根材同士を軒（軒方向）に沿って相互に連結していく一方、軒側に配置される屋根材の棟側端部に棟側に配置される屋根材の軒側端部を重ね合わせて軒−棟方向に屋根材同士を連結することによって屋根を葺きあげる施工に際して適用される接続構造であり、新設建築構造物の屋根はもちろん、既存の建築構造物の屋根を修復する場合に有用なものである。
【００２３】
図１は、本発明に従う屋根材の接続構造に用いて好適な屋根材を、折板屋根材を例として模式的に示した正面図であり、図２は、図１に示した折板屋根材の外観斜視図である。また、図３は、図１に示した屋根材を用いて構成された屋根材の接続構造の正面を示した図であり、図４は図３の接続構造を分解状態で示した外観斜視図（軒側に配置される屋根材（下側に位置する屋根材）の棟側端部と棟側に配置される屋根材（上側に位置する屋根材）の軒側端部のみを表示）である。
【００２４】
本発明にしたがう屋根材は、厚さ０．６〜１．０ｍｍの例えば、溶融亜鉛めっき鋼板やカラー鋼板等の防錆処理鋼板、あるいはステンレス鋼板、アルミニウム合金板、亜鉛板等を、ロール成形によって成形される定尺部材からなるものを適用することができる。
【００２５】
図１〜４における符号１は、屋根材の底板部分である。この底板部分１は、軒─棟方向に沿って伸延する一対の長辺縁部１ａ、１ｂと、軒に沿って伸延する一対の短辺縁部１ｃ、１ｄにて区画されている。
【００２６】
また、２、３は、底板部分１の各長辺縁部１ａ、１ｂの長手方向の全長にわたってつながり、外開き状態でそれぞれ立ち上がる傾斜側板部である。この傾斜側板部２、３の上部には、横向きに張り出し相互に対向する凸部（オーバーハング部）２ａ、３ａが設けられている。この凸部２ａ、３ａは、曲げ加工を施して先端先細りの外面形状となるように形成されたものであって、その背面には、外面形状と同じ形状からなる先端先細りの凹部２ａ′、３ａ′が形成されている。
【００２７】
４、５は、傾斜側板部２、３の上端部につながる天板部、６、７は天板部４、５の末端にてそれぞれ立ち上がり軒に沿って隣接配置される他の屋根材（屋根材はすべて同一構成のものを使用する）のハゼ部と嵌合してそれらとの相互接続を可能とするハゼ部（この例では、ハゼ部６が外ハゼ、ハゼ部７が内ハゼとなる）である。
【００２８】
上記の構成からなる屋根材を軒に沿って連結するにはその要部を拡大して図５に示すようにハゼ部６とハゼ部７を相互に嵌合させて横並び状態で配列していけばよい。
【００２９】
また、８は、上記の構成からなる屋根材を軒−棟方向において連結する固定具である（図４参照）。この固定具８は、軒側に配置される屋根材の棟側端部と棟側に配置される屋根材の軒側端部との重ね合わせ領域の相互間に配置されるものであって、その詳細を図６（ａ）〜（ｃ）および図７に示すように、屋根材のハゼ部６、７を軒方向に挟み込む一対の側壁８ａ、８ｂと、この側壁８ａ、８ｂの上端部にそれぞれ一体連結して該側壁と協働してその内側にハゼ部６、７の格納空間を形成する天壁８ｃと、該側壁８ａ、８ｂの各下端に連結して該側壁を起立状態に保持するとともに前記天板部４、５に接地される一対のベース板８ｄ、８ｅから構成されている。
【００３０】
そして、側壁８ａには、先端部をハゼ部７の脚部７ａに当接可能な舌片８ｆが設けられており、もう一方の側壁８ｂには、該側壁８ｂにねじ部を介して保持された締め込みボルト８ｇが設けられている。
【００３１】
屋根材のハゼ部６と、他の屋根材のハゼ部７を嵌合させた状態にし、図７に示すように、舌片８ｆの先端部をハゼ部６、ハゼ部７のいずれか一方の脚部に当接させ、もう一方の脚部に締め込みボルト８ｇの先端部を当接させて該ボルトを締め込むことにより固定具８は屋根材の天板部４、５に固定される。
【００３２】
ベース板８ｄ、８ｅは、天板部４、５の接地状態で上側に配置される他の屋根材（棟側に配置される屋根材）の凸部２ａ、３ａの背面の先端先細りの凹部２ａ′、３ａ′に連係する係止片８ｈ、８ｉを有しており、この係止片８ｈ、８ｉを先端先細りの凹部２ａ′、３ａ′に連係させることで軒−棟方向に屋根材同士を接続することができるようになっている。
【００３３】
また、舌片８ｆは、側壁８ａの壁部を切り離して形成したものを例として示したが、別部材を一体連結したものを適用してもよく、その先端部には、ハゼ部６、７の脚部６ａ、７ａにおいて面接触可能な屈曲部を設けておくことができる。
【００３４】
また、９は、固定具８の軒側直近（０〜５００ｍｍの範囲、より好ましくは１ｍｍ〜４５０ｍｍの範囲）に配置される第１のガスケット（弾性力を有する軟質材）である。この第１のガスケット９（一次防水（雨水バリア）は、上下面が屋根材の外表面および裏面と同じ形状を有するとともに、軒側に配置される屋根材と棟側に配置される屋根材を重ね合わせて固定具８で接続した場合に形成される隙間を埋める厚さを有しており、そのうち下面が軒側に配置される屋根材の棟側端部の外表面に弾性接触する一方、上面が棟側に配置される屋根材の軒側端部の裏面に弾性接触してその相互間でシール壁を形成する。
【００３５】
また、１０は、固定具８の棟側直近（０〜５００ｍｍの範囲、より好ましくは１ｍｍ〜４５０ｍｍの範囲）に配置される第２のガスケット（弾性力を有する軟質材）である。この第２のガスケット１０（二次防水（風バリア））は、上下面が屋根材の外表面および裏面と同じ形状を有するとともに、軒側に配置される屋根材と棟側に配置される屋根材を重ね合わせて固定具８で接続した場合に形成される隙間を埋める厚さを有しており、その下面が軒側に配置される屋根材の棟側端部の外表面に弾性接触する一方、上面が棟側に配置される屋根材の軒側端部の裏面に弾性接触してその相互間でシール壁を形成し、かつ第１のガスケット９と協働してその内側に閉空間Ｍを形成する。
【００３６】
第１のガスケット９、第２のガスケット１０は、その平面、正面および外観斜視図を図８（ａ）（ｂ）〜１１に示すように、それぞれ軒方向に沿って伸延する、例えば、屋根材の幅寸法（軒方向に沿う寸法）と略同等の長さを有するものを適用することができ、それらの端部には、例えば、凸部とこの凸部に嵌合可能な凹部からなり、隣接配置される他のガスケット（形状は全て同じものを使用する）の端部に設けられた継手に連係可能な接続継手９ａ、９ｂ、１０ａ、１０ｂがそれぞれ設けられている。第１のガスケット９、第２のガスケット１０の厚さは、締め代（弾性代）を確保するため、屋根材同士が接続されたときにその相互間に形成される隙間よりも大きい厚さに設定される。
【００３７】
そして接続継手９ａ、９ｂ、１０ａ、１０ｂにおいて同等の構成からなる他のガスケットを相互に連結していくことにより軒方向の全域において防水性の高いシール壁を形成することができるようになっている。なお、接続継手９ａ、９ｂ、１０ａ、１０ｂは、雨水、風の侵入を確実に防止するため、ハゼ部６、７からずれた位置に設けておくのが好ましい。
【００３８】
第１のガスケット９、第２のガスケット１０としては、具体的には、ゴムやエラストマーあるいは発泡倍率が１０倍程度で紫外線、熱サイクルに強い発泡シリコンゴム、発泡ＥＰＤＭ（エチレンプロピレン）で構成されたものを適用することができる。
【００３９】
さらに、１１は、第１のガスケット９の下部に設けられた切欠き部である。この切欠き部１１は、閉空間Ｍと外界とをつないで該閉空間Ｍを等圧空間とするとともに排水経路を形成する。切欠き部１１を設けて閉空間Ｍを等圧空間とすることにより風圧に対する抵抗力が高まるとともに、等圧空間内に雨水が侵入した場合であってもそれを迅速に排出する。
【００４０】
切欠き部１１の形状は矩形状の開口が形成されるもの例として示したが、その形状は矩形状のものに限定されることはなく、種々の形状に変更し得る。
【００４１】
図１２は、本発明に従う屋根材の接続構造の要部を断面について示した図（図７のＡ−Ａ断面）である。本発明に従う屋根材の接続構造においては、固定具８を介して軒側に配置される屋根材と棟側に配置される屋根材を連結するようになっているため、屋根材を貫くような連結手段が不要であり、雨水の侵入を確実に防止することができる。
【００４２】
また、第１のガスケット９、第２のガスケット１０は、固定具８の直近に配置されており、固定具８で軒−棟方向に屋根材同士を連結する際、該固定具８の連係力でもって第１のガスケット９、第２のガスケット１０を屋根材で挟持することができるため、屋根材とガスケット（第１のガスケット９、第２のガスケット１０）との間に隙間が形成されることはなく、雨水バリア性、風バリア性の高いシール壁が形成される。
【００４３】
第１のガスケット９、第２のガスケット１０は、基本的には、図１３（ａ）に示すような矩形断面を有するものが適用されるが、上面の接触幅が下面の接触幅よりも小さい図１３（ｂ）〜（ｆ）の如き異形断面になるものを適用することもできる。ガスケットの断面は、例えば図８（ｂ）、図１０（ｂ）のａ部では、図１３（ａ）に示すような断面とし、図８（ｂ）のｂ部では図１３（ｂ）〜（ｄ）に示すような断面とし、さらに図８（ｂ）、図１０（ｂ）のｃ部では図１３（ｅ）、（ｆ）の如き断面とすることが可能である。
【００４４】
とくに上面の接触幅が下面の接触幅よりも小さい異形断面のガスケットを使用することにより、屋根材同士を連結する際にガスケットを容易に変形させることが可能となり風の吹き込みを回避できるとともに止水性をより一層高めることができる。
【００４５】
また、ガスケットの接続継手については、凸部を凹部に適合させる上掲図８（ａ）（ｂ）〜図１１に示すようなものの他、図１４（ａ）（ｂ）、図１５（ａ）（ｂ）に示すようなタイプの継手を適用することが可能であり、接続継手の構造についてはとくに図示のものに限定されることはない。
【００４６】
なお、図１４（ａ）は、端部に板状の薄肉舌片を設けてそれらを相互に突き合わせるタイプのものであり、図１４（ｂ）は、端部に「くの字状」の屈曲部を設けその側面を相互に突き合わせるタイプのものである。また、図１５（ａ）は端部に傾斜端面を設けてそれらを相互に突き合わせるタイプのものであり、図１５（ｂ）は、端部にフラットな端面を設けてそれらを相互に突き合わせるタイプのものである。
【００４７】
本発明に従う屋根材の接続構造を構成するには、屋根材のハゼ部６とこれに隣接配置される他の屋根材のハゼ部７とを嵌合させつつ軒に沿って屋根材を相互に連結していく。そして、固定具８を該ハゼ部６、７に適宜固定するとともに第１のガスケット９、第２のガスケット１０を固定具８を軒−棟方向において挟み込むように配置したのち、棟側に配置される屋根材の軒側端部を所定の重ね代でもって既に配置した屋根材の軒側端部に重ね合わせて屋根材同士を固定具８を介して固定すればよい。なお、軒−棟方向において、複数枚の屋根材の接続が必要となる場合には、上記の作業を繰り返し行う。
【００４８】
屋根材を軒−棟方向につなぎ合わせる際の重ね合わせ代としては、少なくとも第１のガスケット９、第２のガスケット１０を配置することができる程度の寸法を確保しておく必要がある。
【００４９】
上記固定具８は、軒側に配置される屋根材と棟側に配置される屋根材との相互間に位置するものであるから屋根の外表面に露出することはない。
【００５０】
とくに、固定具８は、ベース板８ｄ、８ｅの係止片８ｈ、８ｉが、上側に配置される屋根材、すなわち棟側に配置される屋根材の傾斜側板部２、３の凸部２ａ、３ａの背面に形成される凹部２ａ′、３ａ′に連係するため、屋根材を貫くような締結手段を使用せずとも屋根材同士を確実に接続できる利点がある。しかも、第１のガスケット９、第２のガスケット１０は固定具８によって屋根材同士を固定するとき、該屋根材によって確実に挟持されるため、屋根材とガスケットとの間で隙間が生じることがない。
【００５１】
既存の折板屋根を改修するに当たっては、固定具８を既存の屋根材の天板部４、５に配置し、そのハゼ部（既存の折板屋根材）の脚部を舌片８ｆ、ボルト８ｇによって挟持する。そして、棟側に配置される屋根材を固定具８に連係させて固定すればよい。
【００５２】
図１６（ａ）〜（ｃ）は、本発明に従う屋根材の接続構造の他の実施の形態を、固定具について示した図であり、図１７は、図１６（ａ）〜（ｃ）に示した固定具を分解状態で示した外観斜視図であり、図１８は、図１６（ａ）〜（ｃ）に示した固定具の使用状態をその正面について示した図である。
【００５３】
この例は、上掲図６、図７に示したような構成からなる固定具８（舌片８ｆを省略して締め込みボルトに置換したもの）を上部材１２として用い（固定具８と同じ機能を有するもの）、この上部材１２の下面に下部材１３を重ね合わせて構成した２部材からなる固定具である。
【００５４】
この固定具の上部材１２は、間隔を隔てて配置される一対の側壁１２ａ、１２ｂと、この側壁１２ａ、１２ｂの上端にそれぞれ一体連結する天壁１２ｃと、棟側に配置される屋根材の裏面に連係する係止片１２ｄを有し、該側壁１２ａ、１２ｂの下端に連結して該側壁１２ａ、１２ｂを起立状態に保持する一対のベース板１２ｅ、１２ｆからなっている。この上部材１２の側壁１２ａ、１２ｂの両端縁、天壁１２ｃの両端縁およびベース板１２ｅ、１２ｆの両端縁には、それら側壁１２ａ、１２ｂ、天壁１２ｃおよびベース板１２ｅ、１２ｆに一体連結するとともに、それらの相互間で段差ｔ（図１６（ｃ）参照）を形成する耳部１２ｇ、１２ｈが設けられている（耳部１２ｇ、１２ｈとしては、単一部材からなるものを用いることができる）。
【００５５】
また、上部材１２に重ね合わさる下部材１３は、図１７に示すように、上部材１２の側壁１２ａ、１２ｂの内側面に当接可能な一対の側壁１３ａ、１３ｂと、この側壁１３ａ、１３ｂの上端部にそれぞれ一体連結して上部材１２の天壁１２ｃに当接可能な天壁１３ｃと、該側壁１３ａ、１３ｂの下端に一体連結して屋根材の天板部４、５の上面および上部材１２のベース板１２ｄ、１２ｅの下面に当接可能な底板部１３ｄ、１３ｅと、この底板部１３ｄ、１３ｅの縁部に一体連結し屋根材の傾斜側板部２、３に沿って伸延する脚部１３ｆ、１３ｇからなっている（側壁１３ａ、１３ｂと、天壁１３ｃによって取り囲まれた下向き開放型の空間に屋根材のハゼ部６、ハゼ部７が収納される）。この下部材１３は、その上面が上部材１２の下面に接触するとき、側壁１３ａ、１３ｂの両端縁、天壁１３ｃの両隊縁および底板部１３ｄ、１３ｅの両端縁が上部材１２の耳部１２ｇ、１２ｈによって形成された段差ｔの端面（裏側の端面）に当接するようになっており、これにより両部材の位置決めがなされる。
【００５６】
脚部１３ｆ、１３ｇには、対向位置で内向きに突出する一対の凸部１３ｆ１、１３ｇ１が形成されており、図１８に示すように、この凸部（顎部）１３ｆ１、１３ｇ１を屋根材の凸部２ａ、３ａにそれぞれ連係させる（引っ掛かる）ことによって固定具は屋根板材に強固に固定される。なお、下部材１３の凸部１３ｆ１、１３ｇ１を屋根材の凸部２ａ、３ａにそれぞれ連係させるには、屋根材同士を接続した部分、すなわち、ハゼ部６とハゼ７を嵌合させた嵌合部分に、その嵌合部分を挟み込むように下部材１３の脚部１３ｆ、１３ｇを位置させ、その状態を維持したままで下部材１３を上部材１２とともに押し込めばよく、これにより該脚部１３ｆ、１３ｇは弾性変形しつつ相互に離反（外方向へ開放）することとなり、屋根材の傾斜側壁部２、３、天板部４、５およびハゼ部６、７が、下部材１３の側壁１３ａ、１３ｂと、天壁１３ｃによって取り囲まれた下向き開放型の空間内に収まると同時に、脚部１３ｆ、１３ｇの復元により下部材１３の凸部１３ｆ１、１３ｇ１が屋根材の凸部２ａ、３ａに連係する。
【００５７】
上部材１２の側壁１２ａ、１２ｂと、下部材１３の側壁１３ａ、１３ｂにそれぞれ、それら側壁を貫く開孔を形成し、この開孔にねじ部を介して係合する締め込みボルト１４を配置してその締め込みボルト１４の先端を屋根材のハゼ部６、７の脚部６ａ、７ａに突き当てて両側から挟み込むことにより、固定具の、屋根材へのより強固な固定と固定具の、屋根材に対する正確な位置決めが可能となる。
【００５８】
上記の構成からなる固定具においては、上部材１２と下部材１３とは、それらの両端縁あるいは締め込みボルト１４を通す孔等を利用して溶接等の手段によって予め接合しておいてもかなわない。また、下部材１３については、側壁１３ａ、１３ｂのいずれか一方に上掲図６、図７に示すような舌片８ｆを設けることも可能であり、かかる舌片８ｆを適用した場合においても固定具の、屋根材への強固な固定と、固定具の、屋根材に対する正確な位置決めが可能となる。
【００５９】
上部材１２、下部材１３は、厚さ１ｍｍ〜５ｍｍ程度の板材、例えば、溶融亜鉛めっき鋼板や防錆処理鋼板、ステンレス鋼板、アルミニウム合金板、亜鉛板等を曲げ加工あるいはプレス加工によって作製することができる。
【００６０】
なお、上部材１２と下部材１３とを予め溶接等によって接合しておく場合には、上部材１２の寸法（幅寸法）と下部材１３の寸法とを同等の寸法にしておくともできるが、固定具の、屋根材に対する接触面積の拡大を図る（固定具に加わる荷重を分散させるため等）観点から図１９に示すように、下部材１３の側壁１３ａ、１３ｂの両端縁、天壁１３ｃの両端縁および底板部１３ｄ、１３ｅの両端縁にそれぞれフラットな状態（段差なし）で一体連結する耳部１３ｈ、１３ｉを設けることも可能である。また、下部材１３の側壁１３ａ、１３ｂ、天壁１３ｃおよび底板部１３ｄ、１３ｅの両端縁に耳部１３ｈ、１３ｉを設けるに当たっては、図２０に示すような段差を形成し、この段差の端面（表側の端面）に上部材１２の側壁１２ａ、１２ｂの両端縁、天壁１２ｃの両端縁、ベース板１２ｅ、１２ｆの両端縁をそれぞれ当接させて上部材１２の、下部材１３に対する位置決めを行うようにしてもよく、上部材１２と下部材１３の位置決め手段については、適宜変更が可能である。
【００６１】
板厚０．６〜１．０ｍｍ程度の屋根材を適用する施工においては、上部材１２は、厚さが３．２ｍｍ前後になるものを、また、下部材１３は、厚さ２．３ｍｍ前後になるものを用いるのが好ましい。
【産業上の利用可能性】
【００６２】
本発明によれば、効率的な施工が可能であり、雨水、風等の侵入を長期にわたって防止し得る屋根材の接続構造が提供できる。
【符号の説明】
【００６３】
１    底板部分
１ａ、１ｂ    長辺縁部
１ｃ、１ｄ    短辺縁部
２、３    傾斜側板部
４、５    天板部
６、７    ハゼ部
６ａ、７ａ    脚部
８    固定具
８ａ、８ｂ    側壁
８ｃ    天壁
８ｄ、８ｅ    ベース板
８ｆ    舌片
８ｇ    締め込みボルト
８ｈ、８ｉ    係止片
９    第１のガスケット
９ａ、９ｂ    接続継手
１０    第２のガスケット
１０ａ、１０ｂ    継手
１１    切欠き部
１２    上部材
１２ａ、１２ｂ    側壁
１２ｃ    天壁
１２ｄ    係止片
１２ｅ、１２ｆ    ベース板
１２ｇ、１２ｈ    耳部
１３    下部材
１３ａ、１３ｂ    側壁
１３ｃ    天壁
１３ｄ、１３ｅ    底板部
１３ｆ、１３ｇ    脚部
１３ｈ、１３ｉ    耳部
１４    締め込みボルト
Ｍ    閉空間
【図１】
2015096695.tif 000003
【図２】
2015096695.tif 000004
【図３】
2015096695.tif 000005
【図４】
2015096695.tif 000006
【図５】
2015096695.tif 000007
【図６】
2015096695.tif 000008
【図７】
2015096695.tif 000009
【図８】
2015096695.tif 000010
【図９】
2015096695.tif 000011
【図１０】
2015096695.tif 000012
【図１１】
2015096695.tif 000013
【図１２】
2015096695.tif 000014
【図１３】
2015096695.tif 000015
【図１４】
2015096695.tif 000016
【図１５】
2015096695.tif 000017
【図１６】
2015096695.tif 000018
【図１７】
2015096695.tif 000019
【図１８】
2015096695.tif 000020
【図１９】
2015096695.tif 000021
【図２０】
2015096695.tif 000022